(57)【特許請求の範囲】
【請求項１】
扉１に形成した取付孔２にハウジング３を嵌め込み固着し、ハウジング３の正面凹部４に起伏可能に嵌め入れた操作ハンドル５の基端部を枢軸１５によってハウジング３に枢着し、ボックス本体６側の受金７に係脱するフック板８の基端部８ｂを前記枢軸１５によってハウジング３に枢着し、操作ハンドル５を倒伏方向に回転付勢するバネ９を操作ハンドル５とハウジング３の間に装備し、受金７と係合する方向にフック板８を回転付勢するバネ１０をフック板８とハウジング３の間に装備し、受金７から離脱する方向にフック板８を牽引する駆動板１１を操作ハンドル５の背面側に設けてメインロックユニットＡを構成し、
メインロックユニットＡを間に置いて２個のサブロックユニットＢを配置し、サブロックユニットＢのハウジング３３を扉１の背面側に固着し、ボックス本体６側の受金４７に係脱するフック板３８の基端部３８ｂを枢軸３６によってハウジング３３に枢着し、受金４７と係合する方向にフック板３８を回転付勢するバネ４４をフック板３８とハウジング３３の間に装備し、受金４７と係合した位置においてフック板３８の回転を停止させるストッパー部３７をハウジング３３に設け、
メインロックユニットＡのフック板８と２個のサブロックユニットＢのフック板３８を連動部材４１によって連結し、フック板８，３８のカム斜面８ｂ，３８ｂに受金７，４７が衝突することによってフック板８，３８が退避回転し、受金７，４７がカム斜面８ｂ，３８ｂを通過したときにフック板８，３８の錠止突起８ｃ，３８ｃが受金７，４７と係合する方向に反転するようにした３箇所自動錠止型扉用ロック装置。
【発明の詳細な説明】
【０００１】
【発明が属する技術分野】
本発明は、各種機器等の収納用ボックスの開閉と施錠に使用される扉用ロック装置に関するものである。
【０００２】
従来の扉用ロック装置では、扉に形成した取付孔にハウジングを嵌め込み固着し、ハウジングの正面凹部に起伏可能に嵌め入れた操作ハンドルの基端部をハウジングに枢着し、ボックス本体側の受金に係脱するフック板の基端部を前記正面凹部内に収納してハウジングに枢着し、操作ハンドルを倒伏方向に回転付勢するバネを操作ハンドルとハウジングの間に装備し、受金と係合する方向にフック板を回転付勢するバネをフック板とハウジングの間に装備し、受金から離脱する方向にフック板を牽引する駆動板を操作ハンドルの背面側に設けている。
【０００３】
この従来装置では、ボックス本体に対する扉の締付け錠止はフック板と受金の係合によって行なわれるため、ボックス本体に対する扉の締付け錠止は１箇所でなされるだけである。この扉用ロック装置は通常，扉の高さ方向の中間部位に設置されるため、高さのある扉においては、扉の上方部分と下方部分ではボックス本体への扉の締付けが緩いものとなる。
【０００４】
扉の上方部分と下方部分においても充分な締付けを実行するためには、上方部分用のロック装置と下方部分用のロック装置を別途付加すれば良いのであるが、扉の上方部分に設置したロック装置の施錠・解錠操作に当たっては扉の高さによっては背伸びしたり、身長によっては補助台を使用する必要があり、また、扉の下方部分に設置したロック装置の施錠・解錠操作に当たっては身を屈めて不自然な姿勢で行なう必要があるとともに、３箇所のロック装置を別々に施錠・解錠操作する必要があるため、操作性が悪いものとなっている。
【０００５】
【発明が解決しようとする課題】
したがって本発明の課題は、扉の閉鎖と施錠及び扉の解錠と開放がいずれも自然な姿勢において単一の動作によって簡略化されて行われるため、操作性に優れた３箇所自動錠止型の扉用ロック装置を提供することである。
【０００６】
【課題を解決するための手段】
以下、添付図面中の参照符号を用いて説明すると本発明の３箇所自動錠止型扉用ロック装置は、扉１に形成した取付孔２にハウジング３を嵌め込み固着し、ハウジング３の正面凹部４に起伏可能に嵌め入れた操作ハンドル５の基端部を枢軸１５によってハウジング３に枢着し、ボックス本体６側の受金７に係脱するフック板８の基端部８ａを前記枢軸１５によってハウジング３に枢着し、操作ハンドル５を倒伏方向に回転付勢するバネ９を操作ハンドル５とハウジング３の間に装備し、受金７と係合する方向にフック板８を回転付勢するバネ１０をフック板８とハウジング３の間に装備し、受金７から離脱する方向にフック板８を牽引する駆動板１１を操作ハンドル５の背面側に設けてメインロックユニットＡを構成し、
メインロックユニットＡを間に置いて２個のサブロックユニットＢを配置し、サブロックユニットＢのハウジング３３を扉１の背面側に固着し、ボックス本体６側の受金４７に係脱するフック板３８の基端部３８ａを枢軸３６によってハウジング３３に枢着し、受金４７と係合する方向にフック板３８を回転付勢するバネ４４をフック板３８とハウジング３３の間に装備し、受金４７と係合した位置においてフック板３８の回転を停止させるストッパー部３７をハウジング３３に設け、
メインロックユニットＡのフック板８と２個のサブロックユニットＢのフック板３８を連動部材４１によって連結し、フック板８，３８のカム斜面８ｂ，３８ｂに受金７，４７が衝突することによってフック板８，３８が退避回転し、受金７，４７がカム斜面８ｂ，３８ｂを通過したときにフック板８，３８の錠止突起８ｃ，３８ｃが受金７，４７と係合する方向に反転するようにしてなるものである。
【０００７】
【発明の作用】
図５に示したように扉１の閉鎖施錠状態では、メインロックユニットＡのフック板８が受金７に係合しており、この係合状態はバネ１０の回転付勢によって保持されている。操作ハンドル５は邪魔とならないようにハウジング３の正面凹部４内に倒伏しており、この倒伏状態はバネ９の回転付勢によって保持されている。また、サブロックユニットＢのフック板３８が受金４７に係合しており、この係合状態はバネ４４の回転付勢によって保持されており、扉１は上中下の３箇所においてボックス本体６に締付け錠止されている。
【０００８】
扉１のボックス本体６に対する施錠を解除して扉１を開放操作するには、操作者はハウジング３の正面凹部４に手を差込み、操作ハンドル５の先端部に指を掛け、操作ハンドル５を枢軸１５を中心にして図５において反時計回り方向に、前記バネ９の付勢に抗して引出し回転させる。このとき、操作ハンドル５の駆動板１１はハウジング３の開口部１２内を移動する。
このように操作ハンドル５が枢軸１５を中心に回転してハウジング３の正面凹部４から引出される過程において、メインロックユニットＡにおいては、フック板８は操作ハンドル５の駆動板１１によって牽引されるため、枢軸１５を中心にして図５において反時計回り方向に、前記バネ１０の付勢に抗して回転させられる。この回転によって図７に示したようにフック板８の錠止突起８ｃが受金７から離脱する。
【０００９】
また、上下２個のサブロックユニットＢにおいては、フック板３８が連動部材４１を介してメインロックユニットＡのフック板８と連動関係にあるため、前記のように操作ハンドル５がハウジング３の正面凹部４から引出される過程において、フック板３８は枢軸３６を中心にして図９において反時計回り方向に前記バネ４４の付勢に抗して回転させられる。この回転によって図１１に仮想線で示したようにフック板３８の錠止突起３８ｃが受金４７から離脱する。
かくして３箇所の締付け錠止が同時に解除されるため、扉１は操作ハンドル５をそのまま手前に引くことによって開放される。
【００１０】
扉１の開放後、操作ハンドル５から指を離すと、前記バネ９の付勢によって操作ハンドル５は枢軸１５を中心に図７において時計回り方向に回転し、ハウジング３の正面凹部４に没入した状態に復帰する。
このように操作ハンドル５が復帰回転するとき、メインロックユニットＡのフック板８は駆動板１１による牽引作用を受けないため、フック板８は前記バネ１０の付勢によって枢軸１５を中心に図５において時計回り方向に回転し、先端部がハウジング３の背面に対して直角な待機位置に保持される。
サブロックユニットＢのフック板３８は、連動部材４１を介してメインロックユニットＡのフック板８と連動し、また、バネ４４の回転付勢を受けて図１１において反時計回り方向に回転する。位置決め突起３９がハウジング３３のストッパー部３７に係合することによって、フック板３８は扉１の背面に対して直角な待機位置に保持される。
【００１１】
扉１を蝶番３０を中心にして閉鎖回転させると、閉鎖動作の終端付近において、メインロックユニットＡのフック板８のカム斜面８ｂが受金７に当接する一方、サブロックユニットＢのフック板３８のカム斜面３８ｂが受金４７に当接する。
扉１の閉鎖が更に進むと、フック板８，３８は受金７，４７に相対的に押されて枢軸１５，３６を中心に受金７，４７から離れる退避方向に一定角度回転する。
扉１が完全に閉鎖されて、フック板８，３８の錠止端部８ｃ，３８ｃが受金７，４７に対面した瞬間、フック板８，３８は前記バネ１０，４４の付勢によって回転し、受金７，４７とフック板８，３８の錠止突起８ｃ，３８ｃが係合する。
扉１の閉鎖時の動作も扉１の開放時の動作と同じく、連動部材４１の介在によって同時になされる。
【００１２】
【発明の実施の形態】
メインロックユニットＡにおいて、フック板８をハウジング３の外部に配置し、操作ハンドル５の駆動板１１が貫通する開口部１２をハウジング３に形成し、操作ハンドル５がハウジング３の正面凹部４内に倒伏してフック板８が受金７に係合した扉１の閉鎖施錠状態において、操作ハンドル５によってハウジング３の開口部１２を閉塞するようになっている。そのため、ハウジング３の正面凹部４に入り込んだ雨水や飛散水が開口部１２を経由してボックス本体６の内部に侵入することがなく、防水性に優れている。
【００１３】
ハウジング３の背面中央部を正面側に陥没させて背面凹部１３を形成し、該背面凹部１３にフック板８の基端部を収納し、背面凹部１３の両側に形成された一対の背面隆起部１４に操作ハンドル５とフック板８の枢軸１５を嵌挿し、背面凹部１３の底面壁部１６に前記開口部１２を形成してある。このように枢軸１５が両端部においてハウジング３に強固に支持されているため、機械的堅牢性に優れている。
また、操作ハンドル５の駆動板１１が貫通する開口部１２は、ハウジング３の正面側に向かって陥没形成した背面凹部１３の底面壁部１６に設けられており、あらかじめ開口部１２が操作ハンドル５に近接して配置されている。そのため、操作ハンドル５側又はハウジング３側に開口部閉塞のために何等かの継ぎ足し部材を装着する必要はなく、操作ハンドル５の背面側又は正面凹部４の正面側の形状構造が簡素化される。
【００１４】
ハウジング３の開口部１２の周辺部に当接するパッキング部材１３を操作ハンドル５に装着してある。そのため、開口部１２の閉塞がより的確に成立し、防水性と遮音性が一段と向上する。また、操作ハンドル５に当接するパッキング部材１８がハウジング３の開口部１２の周辺部に装着してある。そのため、開口部１２の閉塞がより的確に成立し、防水性と遮音性が一段と向上する。
【００１５】
メインロックユニットＡにおいて、操作ハンドル５の駆動板１１は、操作ハンドル５の背面中心線上に折り曲げ端部１１ａが溶接されている。駆動板１１の枢軸１５に対向する側面は、枢軸１５を曲率中心とする円弧面１１ｂに形成されている。この円弧面１１ｂの先端に形成された駆動突起部１１ｃが、フック板８側に設けた受動突起８ａに係合することによって、フック板８は操作ハンドル５の引出し回転時に駆動板１１によって牽引されるようになっている。
【００１６】
操作ハンドル５とフック板８は共通の枢軸１５によってハウジング３に枢着されており、枢軸１５はハウジング３の正面と平行に配置されている。枢軸１５の一方の端部には拡大頭部１５ａが形成され、枢軸１５の他方の端部の環状溝１５ｂには、抜け止めリング１９が嵌められている。
操作ハンドル５の倒伏付勢用バネ９は、捻りコイルバネで構成され、ハウジング３の一方の背面隆起部１４の内部に収納されている。バネ９のコイル部９ａは枢軸１５に嵌められ、一方の直線端部９ｂは操作ハンドル５の中間部内壁面のバネ受け突起５ｂに当接し、他方の直線端部９ｃは背面隆起部１４の内底面に当接している。
【００１７】
フック板８の復帰付勢用バネ１０は、捻りコイルバネで構成され、ハウジング３の背面凹部１３に収納されている。バネ１０のコイル部１０ａは枢軸１５に嵌められ、直線端部１０ｂは背面凹部１３の外底面に当接し、中間のＵ字状折曲げ部１０ｃはフック板８のカム斜面８ｂとは反対側の側面８ｄに当接している。
操作ハンドル５の先端部には、シリンダー錠等の錠前ユニット２０が取り付けられている。ハウジング３の正面凹部４の内底面には、受金板２１が溶接されている。
【００１８】
錠前ユニット２０のロータ２２の先端部には止め金板２３が連結されている。所定の鍵２４をロータ２２の鍵孔２５に挿入してロータ２２を所定角度回すと、受金板２３が前記受金板２１の折り曲げ先端部２１ｂに係合し、操作ハンドル５はハウジング３の正面凹部４に没入した位置にロックされる。
前記止め金板２３の基端部２１ａは、前記背面凹部１３の内底面に溶接されているため、操作ハンドル５の駆動板１１の貫通を許容するために開口部１２と同形の開口部２１ｃを形成してある。
【００１９】
パッキング部材１７は操作ハンドル５の背面に固着されており、操作ハンドル５が倒伏位置にあるとき、止め金板２１の前記開口部２１ｃの周辺部に密着することによって、ハウジング３の前記開口部１２を間接的に閉塞する。
なお、止め金板２１が溶接されていないときには、前記パッキング部材１７は、操作ハンドル５が倒伏位置にあるとき、前記開口部１２ｃの周辺部である背面凹部１３の内底面に密着することによって、開口部１２を直接的に閉塞する。
パッキング部材１７，１８には、操作ハンドル５の駆動板１１の貫通を許容するために、前記開口部１２と同形の開口部１７ａ，１８ａを形成してある。このように開口部１２が閉塞されるため、ボックス本体の内部で発生した音が開口部１２を経由して外部に逸出することがなく、遮音性に優れている。
【００２０】
サブロックユニットＢにおいて、ハウジング３３は扉１の取付孔とハウジング３３の取付孔４３を通るボルト３５とこれに嵌められるナット３４によって扉１に締め付け固着されている。ハウジング３３のスットパー部３７は、ハウジング３３の上下一対の側壁板部の一方に突出形成されており、フック板３８の中間部には、ストッパー部３７と係脱する位置決め突起３９を設けてある。位置決め突起３９がストッパー部３７に係合するとき、フック板３８は扉１の背面に対して直立した位置に保持される。
【００２１】
フック板３８の付勢用バネ４４は捻りコイルバネで構成され、そのコイル部４４ａはハウジング３３の前記側壁板部の間において枢軸３６に嵌められている。バネ４４の一方の直線端部４４ｂは、側壁板部に形成した切欠４６に係合し、他方の直線端部４４ｃは、基端部３８ａと位置決め突起３９の間においてフック板３８の側縁部に形成した切欠４５に係合している。このようなバネ配置のために、フック板３８は受金４７と係合する方向、すなわち図９において時計回り方向に回転付勢されている。フック板３８の錠止突起３８ｃが受金４７に係合するとき、フック板３８は扉１の背面に対して直立しており、位置決め突起３９がストッパー部３７に圧接している。
【００２２】
サブロックユニットＢのフック板３８の先端部には、角棒よりなる連動部材４１が嵌挿される角孔４０を形成してあり、メインロックユニットＡのフック板８の先端部には同様な角孔４２が形成してある。連動部材４１は加締め加工やロックピンの付加などによって，フック板８，３８からの脱落を阻止されている。
メインロックユニットＡの受金７とサブロックユニットＢの受金４７はＵ字状に折り曲げた金属棒によって構成され、各基端部をボックス本体６に溶接されている。
【００２３】
【発明の効果】
以上のように構成された本発明では、メインロックユニットＡの枢軸１５を中心に回転するフック板８と、２個のサブロックユニットＢの枢軸３６を中心に回転するフック板３８とを連動部材４１によって連結してあり、フック板８，３８のカム斜面８ｂ，３８ｂに受金７，４７が衝突することによってフック板８，３８が退避回転し、受金７，４７がカム斜面８ｂ，３８ｂを通過したときにフック板８，３８の錠止突起８ｃ，３８ｃが受金７，４７と係合する方向に反転するように設定してあり、扉１の閉鎖時にフック板８，３８が受金７，４７に衝突することによって、３箇所の錠止ポイントにおいて施錠が自動的に成立する一方、扉の開放時に操作ハンドルを引き出し回転することによって３箇所の錠止ポイントにおいてフック板８，３８が解錠位置へ同時に回転させられ、施錠が自動的に解除されるものであり、扉１の閉鎖と施錠及び扉の解錠と開放がいずれも自然な姿勢において単一の動作によって行われるため、操作性に優れた３箇所自動錠止型の扉用ロック装置が得られる。
【図面の簡単な説明】
【図１】  本発明の一実施例に係る扉用ロック装置を装着したボックスの扉開放状態における正面図である。
【図２】  図１の扉用ロック装置を装着した扉の拡大図である。
【図３】  図１の扉用ロック装置に使用したメインロックユニットの施錠状態における正面図である。
【図４】  図３のメインロックユニットの左側面図である。
【図５】  図３のＡ−Ａ線断面図である。
【図６】  図３のＢ−Ｂ線断面図である。
【図７】  図３のメインロックユニットの解錠状態における断面図である。
【図８】  図１の扉用ロック装置に使用したサブロックユニットの施錠状態における正面図である。
【図９】  図８のサブロックユニットの平面図である。
【図１０】  図８のサブロックユニットの左側面図である。
【図１１】  図８のサブロックユニットの底面図である。
【符号の説明】
Ａ  メインロックユニット
１  扉
２  取付孔
３  ハウジング
４  正面凹部
５  操作ハンドル
６  ボックス本体
７  受金
８  フック板
９  バネ
１０  バネ
１１  駆動板
１５  枢軸
Ｂ  サブロックユニット
３３  ハウジング
３６  枢軸
３７  ストッパー部
３８  フック板
４１  連動部材
４４  バネ
４７  フック板
【図１】
0003688245.tif 000002
【図２】
0003688245.tif 000003
【図３】
0003688245.tif 000004
【図４】
0003688245.tif 000005
【図５】
0003688245.tif 000006
【図６】
0003688245.tif 000007
【図７】
0003688245.tif 000008
【図８】
0003688245.tif 000009
【図９】
0003688245.tif 000010
【図１０】
0003688245.tif 000011
【図１１】
0003688245.tif 000012